(57)【特許請求の範囲】
【請求項１】
ユーザの動きを監視する装置であって、
前記動きを検出しセンサデータを生成するように構成されたセンサと、
第一のフレキシブル回路基板上に形成された第一の組のトレースを介して前記センサに接続され、コンピュータ実行命令でプログラムされたプロセッサと、を備え、前記コンピュータ実行命令が、前記プロセッサによって実行されたときに、前記装置に、
（ａ）フラッシュメモリへの接続が利用できるかを識別する工程と、
（ｂ）前記フラッシュメモリへの接続が利用できるときに、第二のフレキシブル回路基板上に形成された第二の組のトレースを介して前記センサデータを前記フラッシュメモリに送信する工程と、
（ｃ）前記フラッシュメモリへの接続が利用できないときに、センサデータを前記プロセッサのＲＡＭに記憶する工程と、
を実行させる、装置。
【請求項２】
工程（ｃ）が、センサデータを前記プロセッサの前記ＲＡＭに低忠実度で記憶する工程を含む、請求項１に記載の装置。
【請求項３】
前記低忠実度が、所定の時間単位当たりの記録が低下されることによるものである、請求項２に記載の装置。
【請求項４】
前記低忠実度が、前記データを圧縮形式で記憶することによるものである、請求項２に記載の装置。
【請求項５】
前記低忠実度が、所定のタイプのデータだけを記憶することによるものである、請求項１に記載の装置。
【請求項６】
前記第二の組のトレースのうち所定のトレースが破損した場合に前記所定のトレースからデータを受け入れるように構成された冗長トレースを更に備える、請求項１に記載の装置。
【請求項７】
前記第二の組のトレースのうち所定のトレースが破損した場合に使用されるように構成された予備トレースを更に備える、請求項１に記載の装置。
【請求項８】
前記プロセッサは、更に、前記冗長トレースと無傷トレースとを区別する動作を行えるようにプログラムされる、請求項６に記載の装置。
【請求項９】
ユーザの動きを監視する装置であって、
前記動きを検出しセンサデータを生成するように構成されたセンサと、
第一のフレキシブル回路基板上に形成された第一の組のトレースを介して前記センサに接続され、コンピュータ実行命令でプログラムされたプロセッサと、を備え、前記コンピュータ実行命令が、前記プロセッサによって実行されたときに、
（ａ）フラッシュメモリが故障したかを識別する工程と、
（ｂ）前記フラッシュメモリが故障していないときに、第二のフレキシブル回路基板上に形成された第二の組のトレースを介して前記センサデータを前記フラッシュメモリに送信する工程と、
（ｃ）前記フラッシュメモリが故障したときに、センサデータを前記プロセッサのＲＡＭに記憶する工程と、
を前記装置に実行させる、装置。
【請求項１０】
前記実行命令が、前記プロセッサによって実行されたとき、更に、前記装置に、
（ｄ）前記ＲＡＭが第１の低容量しきい値に近づいているかどうかを判定する工程と、
（ｅ）前記プロセッサの前記ＲＡＭが、前記第１の低容量しきい値に達したと判定されたことに応じて、第１の動作モードで動作し、前記センサデータが、前記プロセッサの前記ＲＡＭに低忠実度で記憶される工程と、を実行させる、請求項９に記載の装置。
【請求項１１】
前記低忠実度が、所定の時間単位当たりの記録が低下されることによるものである、請求項１０に記載の装置。
【請求項１２】
前記低忠実度が、所定のタイプのデータだけを記憶することによるものである、請求項１０に記載の装置。
【請求項１３】
前記低忠実度が、前記データを圧縮形式で記憶することによるものである、請求項１０に記載の装置。
【請求項１４】
前記低容量しきい値が、前記プロセッサの前記ＲＡＭの残留記憶容量に対応する、請求項１０に記載の装置。
【請求項１５】
前記実行命令が、前記プロセッサによって実行されたとき、更に、前記装置に、
（ｆ）前記ＲＡＭが第２の低容量しきい値に近づいているかどうかを判定する工程と、
（ｇ）前記プロセッサの前記ＲＡＭが、前記第２の低容量しきい値に達したと判定されたことに応じて、第２の動作モードで動作し、前記装置が、前記装置によって行なわれる１つ以上のデータ記録機能を停止するように構成された工程と、
を実行させる、請求項１０に記載の装置。
【請求項１６】
前記第２の低容量しきい値が、前記第１の低容量しきい値より大きいレベルに設定されている、請求項１５に記載の装置。
【請求項１７】
ユーザの動きを監視する装置であって、
前記動きを検出し、センサデータを生成するように構成されたセンサと、
フラッシュメモリと、
第一のフレキシブル回路基板上に形成された第一の組のトレースを介して前記センサに接続されるとともに第二のフレキシブル回路基板上に形成された第二の組のトレースを介して前記フラッシュメモリに接続され、コンピュータ実行命令でプログラムされたプロセッサと、を備え、前記コンピュータ実行命令が、前記プロセッサによって実行されたときに、前記装置に、
（ａ）前記プロセッサと前記フラッシュメモリを接続する前記第二の組のトレースのうち少なくとも第一のトレースが故障しているかを識別する工程と、
（ｂ）前記プロセッサと前記フラッシュメモリを接続する少なくとも前記第一のトレースが故障していないときに、データを前記プロセッサから前記フラッシュメモリに第１の伝送方式で伝送する工程と、
（ｃ）前記プロセッサと前記フラッシュメモリを接続する少なくとも前記第一のトレースが故障したときに、データを前記プロセッサから前記フラッシュメモリに、前記第１の伝送方式と異なる第２の伝送方式で伝送し、このデータの伝送は前記第二の組のトレースのうち利用可能なトレースを使用する工程と、を実行させる、装置。
【請求項１８】
前記第２の伝送方式が、時分割方式である、請求項１７に記載の装置。
【請求項１９】
前記第２の伝送方式が、統計的多重方式である、請求項１７に記載の装置。
【請求項２０】
少なくとも前記第一のトレースからデータを受け入れるように構成された冗長トレースを更に備える、請求項１７に記載の装置。
【発明の詳細な説明】
【技術分野】
【０００１】
本発明の態様は、一般に、部品故障によるデータ損失を防止しかつ／又は軽減する方法に関し、詳細には、データが記憶される場所及び／又はデータが装置内で伝送される方法の改善に関する。
【背景技術】
【０００２】
関連出願データ
本出願は、２０１３年６月１２日に出願され「Wearable Device Assembly with Ability to Mitigate Data Loss Due to Component Failure」と題する米国仮特許出願第６１／８３４，１９１号に対する優先権とその利益を請求する。この以前の仮特許出願は、引用により本明細書に完全に組み込まれる。
【０００３】
多くの人は、フィジカルフィットネスの重要性を理解しているが、その多くは、通常の運動プログラムを維持するのに必要な動機を見つけるのに苦労している。一部の人は、ランニング、ウォーキング、サイクリングなどの連続反復運動を伴う運動養生法を維持することが特に難しいことが分っている。
【０００４】
更に、人々は、ワークアウトを作業又は雑用と見なしており、したがって、ワークアウトを毎日の暮らしの楽しいことと切り離すことがある。多くの場合、アスレチック活動と他の活動のそのような明確な分離は、個人がワークアウトを行おうとする動機付けを小さくする。更に、アスレチック活動に参加する個人を励ますためのアスレチック活動サービス及びシステムは、１つ以上の特定の活動に焦点を絞り込み過ぎており、個人の興味が無視されことがある。更に、これにより、アスレチック活動への参加やアスレチック活動サービス及びシステムの使用に対するユーザの関心が低下することがある。
【０００５】
したがって、当技術分野における上記の及びその他の課題に取り組むための改善されたシステム及び方法が必要である。
【発明の概要】
【課題を解決するための手段】
【０００６】
以下は、開示の幾つかの態様の基本的理解を提供するために単純化された要約を提供する。要約は、開示の広範な概要ではない。開示の重要又は不可欠要素を示すものでもなく開示の範囲を定めるものでもない。以下の要約は、開示の幾つかの概念を、後の説明の前書きとして単純化された形態で提示する。
【０００７】
ユーザの動作を監視する手首装着型デバイスが提供される。手首装着型デバイスの曲線体は、複数の屈曲領域を有し、手首装着型デバイスの内部背骨部材は、前記曲線体内に延在する。フレキシブル回路部材が、前記背骨部材の周囲に巻かれて前記背骨部材と接続される。前記フレキシブル回路部材は、身体内のセンサ組立体のコントローラ及び１つ以上のセンサを相互接続する。前記フレキシブル回路部材に付着されたはんだマスクは、前記フレキシブル回路部材の屈曲により生じた応力を分散させる曲線エッジを有する。
【０００８】
前記曲線エッジは、前記フレキシブル回路部材の辺の間に前記はんだマスクの山と谷を規定し得る。前記はんだマスクの山は、山幅と山高さを示し得るものであり、前記はんだマスクの谷は、谷幅と谷深さを示し得る。前記はんだマスクの山の数は、前記はんだマスクの谷の数と一致してもよく、山幅は谷幅と一致してもよく、山高さは谷深さと一致してもよい。前記はんだマスクの山と前記はんだマスクの谷は、実質的に円の一部分と一致し得る。
【０００９】
トレースが破損した場合に装置故障を防ぐ耐故障フレキシブル回路部材が提供される。フレキシブル回路部材は、予備トレースを利用してもよい。トレースが破損したことを装置が決定した場合、他のトレースがその場所に使用されてもよい。予備トレースの代替又は予備トレースとの組み合わせで、デバイスは、冗長トレースと、破損トレースと無傷トレース（正常トレース）を区別する機能とを利用してもよい。したがって、トレースが破損した場合、冗長トレースのうちの１つがその機能を持つことができる。デバイスは、最初にトレースに沿って送られるように意図されたデータと、最初に破損トレースに沿って送られるように意図されたデータとで利用可能な帯域幅を分割する方式のような代替分割方式を使用してもよい。デバイスは、また、フラッシュメモリが動作不能になった場合に、ＲＡＭなどの代替記憶装置を利用してもよい。ＲＡＭがフラッシュメモリより小さい記憶容量を有する場合は、記憶されるデータのサイズを縮小しなければならないことがある。これは、データが記憶される形式を変更することによって達成されうる。
【００１０】
本開示は、類似の参照番号が類似の要素を示す添付図面において、例として示され限定されない。
【図面の簡単な説明】
【００１１】
【図１】個人用トレーニングを提供するためのシステムの実施態様の例を示す図である。
【図２】個人用トレーニングを提供するためのコンピューティング装置の実施態様の例を示す図である。
【図３】ユーザの運動を監視する手首装着型センサ・アセンブリ・デバイスの実施態様の例を示す図である。
【図４】フレキシブル回路部材に貼り付けられた曲線はんだマスクエッジの実施態様の別の例を示す図である。
【図５】フラッシュメモリをプロセッサとＲＡＭに接続するトレースと、プロセスをセンサに接続するトレースを示す図である。
【発明を実施するための形態】
【００１２】
様々な実施形態の以下の詳細な説明では、添付図面を参照し、本明細書の一部分を構成し、添付図面は、本開示が実施されうる様々な実施形態を実例として示す。本開示の範囲と趣旨から逸脱することなく他の実施形態を利用でき、また構造的及び機能的な修正を行えることを理解されたい。更に、本開示内の見出しは、開示を限定する態様と見なされるべきでない。本開示の利益を得る当業者は、例示的な実施形態が、例示的な見出しに限定されないことを理解するであろう。
【００１３】
１．例示的な個人用トレーニングシステム
１．１．説明的なコンピューティング装置
図１は、例示的な実施形態による個人用トレーニングシステム１００の例を示す。例示的システム１００は、コンピュータ１０２などの１つ以上の電子装置を含みうる。コンピュータ１０２は、電話、音楽プレーヤ、タブレット、ネットブック、任意の携帯機器などのモバイル端末を含みうる。他の実施形態では、コンピュータ１０２は、セットトップボックス（ＳＴＢ）、デスクトップコンピュータ、デジタルビデオレコーダ（ＤＶＲ）、コンピュータサーバ、及び／又は他の所望のコンピューティング装置を含みうる。特定の構成では、コンピュータ１０２は、例えば、Ｍｉｃｒｏｓｏｆｔ（登録商標）ＸＢＯＸ、Ｓｏｎｙ（登録商標）ＰｌａｙＳｔａｔｉｏｎ、Ｎｉｎｔｅｎｄｏ（登録商標）Ｗｉｉゲームコンソールなどのゲームコンソールを含みうる。当業者は、これらのゲームコンソールが、記述のための例示的なコンソールに過ぎず、この開示が、いかなるコンソール又は装置にも限定されないことを理解されよう。
【００１４】
図２に移ると、コンピュータ１０２は、計算ユニット１０４を含むことができ、計算ユニット１０４は、少なくとも１つの処理ユニット１０６を含みうる。処理ユニット１０６は、例えばマイクロプロセッサ装置など、ソフトウェア命令を実行するための任意のタイプの処理装置でよい。コンピュータ１０２は、メモリ１０８などの様々な非一時的コンピュータ可読媒体を含みうる。メモリ１０８には、ＲＡＭ１１０などのランダムアクセスメモリ（ＲＡＭ）、及び／又はＲＯＭ１１２などの読み出し専用メモリ（ＲＯＭ）が挙げられるが、これらに限定されない。メモリ１０８には、電子的消去可能プログラム可能読み出し専用メモリ（ＥＥＰＲＯＭ）、フラッシュメモリ又は他のメモリ技術、ＣＤ−ＲＯＭ、デジタル汎用ディスク（ＤＶＤ）又は他の光ディスク記憶機構、磁気記憶装置、あるいは所望の情報を記憶するために使用できかつコンピュータ１０２がアクセスできる任意の他の媒体のいずれかが挙げられる。
【００１５】
処理ユニット１０６とシステムメモリ１０８は、バス１１４又は代替通信構造を介して、１つ以上の周辺装置に直接又は間接に接続されうる。例えば、処理ユニット１０６又はシステムメモリ１０８は、ハードディスクドライブ１１６、リムーバブル磁気ディスクドライブ、光ディスクドライブ１１８、及びフラッシュメモリカードなど、追加のメモリ記憶機構に直接又は間接に接続されうる。また、処理ユニット１０６とシステムメモリ１０８は、１つ以上の入力装置１２０及び１つ以上の出力装置１２２に直接又は間接に接続されうる。出力装置１２２には、例えば、表示装置１３６、テレビ、プリンタ、ステレオ又はスピーカが挙げられる。幾つかの実施形態では、１つ以上の表示装置は、アイウェアに組み込まれうる。アイウェアに組み込まれた表示装置は、ユーザにフィードバックを提供できる。また、１つ以上の表示装置を含むアイウェアは、携帯型表示システムを提供する。入力装置１２０には、例えば、キーボード、タッチスクリーン、リモート制御パッド、ポインティング装置（マウス、タッチパッド、スタイラス、トラックボール、ジョイスティックなど）、スキャナ、カメラ又はマイクロフォンが挙げられる。この点で、入力装置１２０は、図１に示されたユーザ（ユーザ１２４など）からのアスレチック運動を感知、検出かつ／又は測定するように構成された１つ以上のセンサを含みうる。
【００１６】
図１を再び参照すると、画像キャプチャ装置１２６及び／又はセンサ１２８は、ユーザ１２４のアスレチック運動を検出しかつ／又は測定する際に利用されうる。一実施形態では、画像キャプチャ装置１２６又はセンサ１２８から得られたデータは、直接アスレチックの動作を検出でき、その結果、画像キャプチャ装置１２６又はセンサ１２８から得られたデータが、運動パラメータに直接関連付けられる。更に、他の実施形態では、画像キャプチャ装置１２６及び／又はセンサ１２８からのデータは、動きを検出しかつ／又は測定するために、互いに又は他のセンサと組み合わせて利用されうる。したがって、特定の測定値は、２つ以上装置から取得されたデータを組み合わせることにより決定されうる。画像キャプチャ装置１２６及び／又はセンサ１２８には、１つ以上のセンサを含むかそれに機能的に接続されてもよく、そのようなセンサには、加速度計、ジャイロスコープ、位置決定装置（例えば、ＧＰＳ）、光センサ、温度センサ（周囲温度及び／又は体温を含む）、心拍数モニタ、画像キャプチャセンサ、水分センサ及び／又はこれらの組み合わせが挙げられるがこれらに限定されない。説明的なセンサ１２６及び１２８の例示的な用途については、「説明的センサ」と題する１．３節で後述される。また、コンピュータ１０２は、タッチスクリーン又は画像キャプチャ装置を使用して、グラフィカルユーザインタフェースから選択するためにユーザがポイントしている場所を決定してもよい。１つ以上の実施形態は、１つ以上の有線及び／又は無線技術を単独又は組み合わせで利用してもよく、無線技術の例には、Ｂｌｕｅｔｏｏｔｈ（登録商標）技術、Ｂｌｕｅｔｏｏｔｈ（登録商標）低エネルギー技術、及び／又はＡＮＴ技術が挙げられる。
【００１７】
１．２．ネットワークの説明
コンピュータ１０２、計算ユニット１０４、及び／又はその他の電子装置は、ネットワーク１３２などのネットワークと通信するための例示的なインタフェース１３０（図２に示された）などの、１つ以上のネットワークインタフェースに直接又は間接に接続されうる。図２の例では、ネットワークインタフェース１３０は、伝送制御プロトコル（ＴＣＰ）、インターネットプロトコル（ＩＰ）、ユーザダイアグラムプロトコル（ＵＤＰ）などの１つ以上の通信プロトコルにしたがって、計算ユニット１０４からのデータ及び制御信号をネットワークメッセージに変換するように構成されたネットワークアダプタ又はネットワークインタフェースカード（ＮＩＣ）を含みうる。これらのプロトコルは、当該技術分野で周知であり、したがって、ここでは詳細に考察されない。インタフェース１３０は、例えば、無線トランシーバ、電力線アダプタ、モデム又はイーサネット接続を含む、ネットワークに接続するのに適した接続エージェントを使用できる。しかしながら、ネットワーク１３２は、インターネット、イントラネット、クラウド、ＬＡＮなどの任意のタイプ又はトポロジーの、単独又は組み合わせの任意の１つ以上の情報配信ネットワークでよい。ネットワーク１３２は、ケーブル、ファイバ、衛星、電話、セルラ、無線などのうちの任意の１つ以上でよい。ネットワークは、当該技術分野で周知であり、したがって、ここでは詳細に考察されない。ネットワーク１３２は、１つ以上の場所（例えば、学校、事業所、家庭、住宅、ネットワーク資源など）を、１つ以上のリモートサーバ１３４、又はコンピュータ１０２と類似若しくは同一の他のコンピュータに接続するために、１つ以上の有線又は無線通信チャネルを有するように様々に構成されうる。実際には、システム１００は、各構成要素の複数のインスタンス（例えば、複数のコンピュータ１０２、複数のディスプレイ１３６など）を含みうる。
【００１８】
ネットワーク１３２内のコンピュータ１０２や他の電子装置が、携帯型か据置型かにかかわらず、以前に具体的に列挙された入力、出力及び記憶周辺装置に加えて、コンピューティング装置は、入力、出力及び記憶機能、又はこれらの何らかの組み合わせ機能を実行できる装置を含む様々な他の周辺装置に、直接接続されてもよく、ネットワーク１３２を介して接続されてもよい。特定の実施形態では、単一装置は、図１に示された１つ以上の構成要素を統合することができる。例えば、単一装置には、コンピュータ１０２、画像キャプチャ装置１２６、センサ１２８、ディスプレイ１３６及び／又は追加の構成要素が挙げられる。一実施形態では、センサ装置１３８は、ディスプレイ１３６、画像キャプチャ装置１２６、及び１つ以上のセンサ１２８を有するモバイル端末を含みうる。更に、別の実施形態において、画像キャプチャ装置１２６及び／又はセンサ１２８は、例えばゲーミング又はメディアシステムを含むメディア装置に機能的に接続されるように構成された周辺装置でありうる。したがって、以上のことから、この開示が固定式のシステム及び方法に限定されないことが分かる。より正確に言うと、特定の実施形態は、ほとんど任意の場所でユーザ１２４によって実行されうる。
【００１９】
１．３．センサの説明
コンピュータ１０２及び／又は他の装置は、ユーザ１２４の少なくとも１つのフィットネスパラメータを検出しかつ／又は監視するように構成された１つ以上のセンサ１２６，１２８を含む。センサ１２６及び／又は１２８には、加速度計、ジャイロスコープ、位置決定装置（例えば、ＧＰＳ）、光センサ、温度センサ（周囲温度及び／又は体温を含む）、睡眠パターンセンサ、心拍数モニタ、画像キャプチャセンサ、水分センサ及び／又はこれらの組み合わせが挙げられるがこれらに限定されない。ネットワーク１３２及び／又はコンピュータ１０２は、例えばディスプレイ１３６、画像キャプチャ装置１２６（例えば、１つ以上のビデオカメラ）、及び赤外線（ＩＲ）装置でよいセンサ１２８を含むシステム１００の１つ以上の電子装置と通信することができる。一実施形態において、センサ１２８は、ＩＲトランシーバを含みうる。例えば、センサ１２６及び／又は１２８は、波形をユーザ１２４の方向を含む環境に送信し、「反射」を受信するか、そのような放出された波形の変化を別の方法で検出することができる。更に別の実施形態において、画像キャプチャ装置１２６及び／又はセンサ１２８は、レーダ、ソナー、可聴情報などの他の無線信号を送信しかつ／又は受信するように構成されうる。当業者は、様々な実施形態により、多数の異なるデータスペクトルに対応する信号が利用されうることを容易に理解するであろう。これに関して、センサ１２６及び／又は１２８は、外部ソース（例えば、システム１００ではない）から放射された波形を検出することができる。例えば、センサ１２６及び／又は１２８は、ユーザ１２４及び／又は周囲環境から放射された熱を検出することができる。したがって、画像キャプチャ装置１２６及び／又はセンサ１２８は、１つ以上のサーマルイメージング装置を含んでもよい。一実施形態では、画像キャプチャ装置１２６及び／又はセンサ１２８は、レンジフェノメノロジーを実行するように構成された赤外線装置を含みうる。限定ではなく例として、レンジフェノメノロジーを実行するように構成された画像キャプチャ装置は、オレゴン州ポートランドのＦｌｉｒ  Ｓｙｓｔｅｍｓ，Ｉｎｃ．から市販されている。画像キャプチャ装置１２６、センサ１２８及びディスプレイ１３６が、コンピュータ１０２との直接（無線又は有線）通信するように示されているが、当業者は、ネットワーク１３２と直接（無線又は有線）通信できることを理解するであろう。
【００２０】
１．３．１．汎用電子装置
ユーザ１２４は、センサ装置１３８、１４０、１４２及び／又は１４４を含む任意数の電子装置を保有、携帯及び／又は装着することができる。特定の実施形態において、１つ以上の装置１３８，１４０，１４２，１４４は、フィットネス又はアスレチック用に特別に製造されなくてもよい。実際には、この開示の態様は、複数の装置からのデータを利用してアスレチックデータを収集、検出及び／又は測定することに関し、それらの装置の幾つかは、フィットネス装置ではない。一実施形態において、装置１３８は、カリフォルニア州クパチーノのＡｐｐｌｅ，Ｉｎｃ．から入手可能なＩＰＯＤ（登録商標）、ＩＰＡＤ（登録商標）、又はｉＰｈｏｎｅ（登録商標）商標装置、又はワシントン州レドモンドのＭｉｃｒｏｓｏｆｔから入手可能なＺｕｎｅ（登録商標）又はＭｉｃｒｏｓｏｆｔ（登録商標）Ｗｉｎｄｏｗｓ装置を含む、電話やデジタル音楽プレーヤなどの携帯電子装置を含みうる。当該技術分野で知られているように、デジタルメディアプレーヤは、コンピュータの出力装置（例えば、音声ファイルから音楽を又は画像ファイルから画像を出力）と記憶装置の両方として働きうる。一実施形態において、装置１３８は、コンピュータ１０２でよいが、他の実施形態では、コンピュータ１０２は、装置１３８と完全に異なってもよい。装置１３８が、特定の出力を提供するように構成されたかどうかにかかわらず、装置１３８は、知覚情報を受け取る入力装置として働くことができる。装置１３８、１４０、１４２、及び／又は１４４には、加速度計、ジャイロスコープ、位置決定装置（例えば、ＧＰＳ）、光センサ、温度センサ（周囲温度及び／又は体温を含む）、心拍数モニタ、画像キャプチャセンサ、水分センサ及び／又はこれらの組み合わせを含むがこれに限定されない１つ以上のセンサが挙げられる。特定の実施形態では、センサは、（例えば）画像キャプチャ装置１２６及び／又はセンサ１２８によって検出されうる反射材料などの受動的なものでもよい。特定の実施形態では、センサ１４４は、アスレチック衣服などの服に組み込まれうる。例えば、ユーザ１２４は、１つ以上の装着型センサ１４４ａ〜ｂを装着しうる。センサ１４４は、ユーザ１２４の衣類に組み込まれかつ／又はユーザ１２４の身体の任意の所望の場所に配置されうる。センサ１４４は、コンピュータ１０２、センサ１２８、１３８、１４０、１４２及び／又はカメラ１２６と（例えば、無線で）通信することができる。インタラクティブゲーム衣服の例は、２００２年１０月３０日に出願され、米国特許出願公開２００４／００８７３６６号として公開された米国特許出願第１０／２８６，３９６号に記載されており、その内容は、あらゆる非限定的な目的のために、引用により全体が本明細書に組み込まれる。特定の実施形態では、受動的検出面が、画像キャプチャ装置１２６及び／又はセンサ１２８によって放射された赤外線などの波形を反射してもよい。一実施形態では、ユーザ１２４の衣服に配置された受動的センサは、波形を反射できるガラス又は他の透明若しくは半透明面で作成されたほぼ球状の構造物を含みうる。様々な種類の衣服を利用でき、所定の種類の衣服は、適切に装着されたときにユーザ１２４の身体の特定部分の近くに配置されるように構成された特定のセンサを有する。例えば、ゴルフ用衣服は、第１の構成で衣服上に位置決めされた１つ以上のセンサを含みうるが、サッカー用衣服は、第２の構成で衣服上に位置決めされた１つ以上のセンサを含みうる。
【００２１】
装置１３８〜１４４は、直接、又はネットワーク１３２などのネットワークを介して、互いに通信することができる。装置１３８〜１４４のうちの１つ以上の装置間の通信は、コンピュータ１０２を介して通信しうる。例えば、２つ以上の装置１３８〜１４４は、コンピュータ１０２のバス１１４に機能的に接続された周辺装置でありうる。更に別の実施形態では、装置１３８などの第１の装置は、コンピュータ１０２などの第１のコンピュータ並びに装置１４２などの別の装置と通信することができる。一方、装置１４２は、コンピュータ１０２に接続するように構成されなくてもよいが、装置１３８と通信することができる。当業者は、他の構成が可能であることを理解するであろう。
【００２２】
例示的実施形態の幾つかの実施態様は、代替又は追加として、デスクトップパソコンやラップトップパソコンなどの種々様々な機能に対応できるように設計されたコンピューティング装置を使用することができる。そのようなコンピューティング装置は、必要に応じて、周辺装置又は追加の構成要素の任意の組み合わせを有しうる。また、図２に示された構成要素は、サーバ１３４、他のコンピュータ、装置などに含まれうる。
【００２３】
１．３．２．衣服／アクセサリセンサの説明
特定の実施形態では、センサ装置１３８、１４０、１４２及び／又は１４４は、時計、アームバンド、リストバンド、ネックレス、シャツ、靴などを含む、ユーザ１２４の衣服又はアクセサリ内に構成されてもよく、それらと他の方法で関連付けられてもよい。靴取付型又は手首装着型ウェアラブル・デバイスの例（それぞれ装置１４０及び１４２）は、後述されるが、これらは単に例示的実施形態であり、この開示は、そのような実施形態に限定されるべきでない。
【００２４】
図３に示されたように、手首装着型センサ・アセンブリ・デバイス２２６の実施態様の一例を示す（「手首装着型デバイス」又は「デバイス」）。デバイス２２６（図１に示されたセンサ装置１４２と類似してもよく同一でもよい）は、ユーザ１２４の手首、腕、足首の周囲などに装着されるように構成されうる。デバイス２２６は、ユーザ１２４の終日活動を含むユーザのアスレチック運動を監視することができる。この点で、デバイス・アセンブリ２２６は、ユーザ１２４がコンピュータ１０２と対話している間にアスレチック運動を検出してもよくかつ／又はコンピュータ１０２と無関係に動作してもよい。例えば、一実施形態では、デバイス２２６は、ユーザのコンピュータ１０２との接近又は対話に関係なく活動を測定する終日活動モニタでもよい。デバイス２２６は、ネットワーク１３２及び／又は装置１３８や１４０などの他の装置と直接通信することができる。他の実施形態では、デバイス２２６から得られたアスレチックデータは、ユーザ１２４に提示される運動プログラムに関する決定など、コンピュータ１０２によって行われる決定に利用されうる。一実施形態では、デバイス２２６は、ユーザ１２４と関連付けられた装置１３８などのモバイル装置、又はフィットネス若しくはヘルスケア関連内容に特化されたサイトなどのリモートウェブサイトと無線で対話することもできる。ある所定の時間に、ユーザは、デバイス２２６からのデータを別の場所に転送したいことがある。
【００２５】
図３に示されたように、デバイス２２６は、デバイス２２６の動作を支援する押下式入力ボタン２２８などの入力機構を含みうる。入力ボタン２２８は、図２に示されたコンピュータ１０２に関して述べた要素のうちの１つ以上などのコントローラ２３０及び／又は他の電子構成要素に機能的に接続されうる。コントローラ２３０は、ハウジング２３２に埋め込まれてもよく、あるいはその一部でもよい。ハウジング２３２は、エラストマ構成要素を含む１つ以上の材料から構成されてもよく、ディスプレイ２３４などの１つ以上のディスプレイを含みうる。ディスプレイは、デバイス２２６の照明部分と見なされうる。ディスプレイ３３４は、例示的実施形態では、ＬＥＤランプ２３４などの一連の個別の発光要素又は光部材を含みうる。ＬＥＤランプは、アレイで構成され、コントローラ２３０に動作可能に接続されうる。デバイス２２６は、インジケータシステム２３６を含むことができ、インジケータシステム２３６は、また、ディスプレイ２３４全体の一部又は構成要素と見なされうる。インジケータシステム２３６が、ディスプレイ２３４（画素部材２３５を有することができる）と共に動作し発光してもよく、ディスプレイ２３４と全く別に発光してもよいことを理解されたい。また、インジケータシステム２３６は、例示的実施形態ではＬＥＤランプの形をとることができるが、複数の補助発光要素又は発光部材２３８を含みうる。特定の実施形態では、インジケータシステムは、１つ以上の目標の達成を表わすために発光部材２３８の一部分を照明することなどによって、目標の可視指示を提供することができる。
【００２６】
締結機構２４０は、その締結を解除して、デバイス２２６をユーザ１２４の手首の周囲に位置決めし、次に締結機構２４０をラッチ位置にすることができる。ユーザは、必要に応じていつでもデバイス２２６を装着することができる。一実施形態では、締結機構２４０は、コンピュータ１０２及び／又は装置１３８，１４０と対話するために、ＵＳＢポートを含むがこれに限定されないインタフェースを含みうる。
【００２７】
デバイス２２６がユーザ１２４の手首の周囲に位置決めされるかユーザ１２４の手首から外されるときには、デバイス２２６が、少し屈曲することを理解されたい。締結機構２４０が外され、デバイス２２６が開かれると、当該デバイスは、様々な柔軟領域２５０で屈曲して、デバイスがユーザ１２４の手首に巻き付けられるときに手首がデバイスに収容されることを可能にする。デバイス２２６は、締結機構２４０が外され、デバイスが開かれて当該デバイスがユーザ１２４の手首から外されるときも同じように撓む。図３の例示的なデバイス２２６は、デバイスの「肩部」として示されて互いに近くにある２つの柔軟領域２５０を有する。
【００２８】
特定の実施形態では、デバイス２２６は、センサ・アセンブリ（図３に示されていない）を含みうる。センサ・アセンブリは、複数の異なるセンサを含みうる。例示的実施形態では、センサ・アセンブリは、加速度計（多軸加速度計の形を含む）、心拍数センサ、ＧＰＳセンサなどの位置決定センサ、及び／又は他のセンサに対する機能的接続を含むか又はそれを可能にすることができる。装置１４２のセンサから検出された動き又はパラメータは、速度、距離、歩数、カロリーなどのエネルギー消費、心拍数、汗検出、労力、酸素消費、及び／又は酸素動力学を含むがこれに限定されない、種々の異なるパラメータ、計量値又は生理的特徴を含みうる（又は、それらを構成するために使用されうる）。また、これらのパラメータは、ユーザの活動に基づいてユーザが獲得した活動ポイント又は通貨によって表されうる。
【００２９】
図４は、フレキシブル回路部材８０２に付着されたはんだマスク８００の実施態様の一例であり、はんだマスクは、周期的波動と類似せずまた繰り返し曲線パターンを含まない曲線はんだマスクエッジ８０４を含む。図４で分かるように、例示的な曲線はんだマスクエッジ８０４は、前述のように実質的に直線のエッジ部分８０６を有する。更に、曲線はんだマスクエッジの形状は、フレキシブル回路部材８０４の様々な電気的構成要素８０８の周囲で湾曲するように構成される。
【００３０】
また、図４は、様々な変形（例えば、ＦＰＣの屈曲ゾーン及びフレキシブル回路部材の屈曲と関連した変形）によるものを含む、任意の原因によって生じる応力に耐えるＦＰＣ能力の強化を含む、ＦＰＣの耐用性を強化するために、単独で又は曲線はんだマスクエッジと共に使用されうる構造及び方法を示す。例えば、フレキシブル回路部材の構成要素は、導入されるか集中される、あるいは構成要素と関連することがある応力を軽減又は無くすように配置され、位置決めされ、寸法決めされ、成形されてもよい。図４では、例えば、フレキシブル回路部材８０２上の１つ以上の構成要素８１０（例えば、位置決め孔）が、周囲領域８１２に配置されてもよい。そのような周囲領域８１２は、例えば以下のものを含むように、様々に決定されてもよい。（ｉ）フレキシブル回路部材の屈曲領域８１４の外側の領域、（ｉｉ）波打ちなど、基板と関連した共形又は製造収差により製造工程でＦＰＣが変形しない領域、及び／又は（ｉｉｉ）応力が一般に最小の領域（例えば、フレキシブル回路部材のＵＳＢ相互接続の近く）。図４では、点線８１６は、屈曲領域８１４と屈曲領域の外側の領域８１２がそれぞれ始まり終わる場所を示す。図４では、別の例として、フレキシブル回路部材８０２上の１つ以上の構成要素８１０（例えば、トレース８１８）が、ＦＰＣの特定の（例えば、内側）面（即ち、（ｉ）上面若しくは下面、又は（ｉｉ）ＦＰＣの他の面又は領域以外の面）に配置されてもよく、トレースは、（ａ）めっきされるか、あるいは弾性を低下させることがある任意の方法で保護されてもよく、かつ／又は（ｂ）はんだマスクや波打ちなどの応力集中部分と連結されてもよい。追加又は代替として、フレキシブル回路部材８０２のトレース８１８は、トレース上の応力集中を防ぐために段階的曲線を呈してもよい。図４で分かるように、例示的なトレース８１８は、例えば、柔軟ゾーン２５０や他のＦＰＣ変形部分を横切って、又はフレキシブル回路部材８０２に関して応力領域を横切って、徐々に湾曲するように形成されてもよい。追加又は代替として、フレキシブル回路部材８０２のトレース８１８は、応力領域（例えば、集中部分）、詳細には応力集中部分である１つ以上の構造が応力を受ける応力領域を回避するように引き回されてもよい。例えば、ＵＳＢ相互接続パッドのそれぞれに電気的に結合する各トレース８１８は、そのパッドの内部で（例えば、そのようなパッドの周縁ではなく）それぞれのパッドと接触し、そこからビアを通ってＦＰＣの内面に延び、そこからパッドの長さに沿って（パッド間で）延びて、パッドの横エッジより突出し（そのような横エッジは、ＦＰＣ構成要素の方に向けられる）、したがって、パッドのそのような横エッジの真下を通ることなく突出し、そこから最終的に１つ以上の他のＦＰＣ構成要素と結合してもよい。そのようなＵＳＢ結合トレースをそのように引き回す際に、トレースは、パッドの横エッジの下への迂回を回避し、したがってこの応力集中部分を回避する。一例では、そのようなＵＳＢ結合トレースをそのように引き回すことにより、パッドエッジの応力集中部分として作用が回避され、そこで、応力が、例えばＵＳＢ接点の隣りに形成されたＦＰＣ波打ちを介して様々に伝わる。以上その他の特徴のうちの１つ以上は、例えば、特に応力源（例えば、変形）が存在する場合に、曲線はんだマスクエッジと組み合わせて使用されてもよい。
【００３１】
図５は、本発明の一実施形態による手首装着型センサ・アセンブリ・デバイス２２６（図３に示された）内に見られる構成要素を示す。センサ５０２は、トレース５０６、５０８及び５１０によってプロセッサ５０４に接続される。センサ５０２は、前述のセンサのうちのいずれによって実現されてもよい。トレース５０６、５０８及び５１０は、フレキシブル回路基板上に形成されてもよい。プロセッサ５０４は、ランダムアクセスメモリ（ＲＡＭ）５１２を含み、トレース５１６、５１８及び５２０によってフラッシュメモリ５１４に接続される。トレース５１６、５１８及び５２０は、フレキシブル回路基板上に形成されてもよい。当業者は、図５に示されたトレースの数とトレースの構成が単に説明のためのものであることを理解するであろう。追加又はより少数のトレースが含まれてもよく、その少なくとも幾つかが、不規則形状を有してもよい。動作において、センサ５０２からのセンサデータが、プロセッサ５０４に送られる。プロセッサ５０４は、センサデータの形式の変更やエネルギー消費ポイントの計算などの操作を行なうことがある。次に、プロセッサ５０４は、トレース５１６、５１８又は５２０を介してデータをフラッシュメモリ５１４に送る。
【００３２】
デバイス２２６は、携帯可能かつ柔軟でよく、その結果、トレース５０６、５０８、５１０、５１６、５１８及び５２０は、常に応力を受けており、定期的に破損することがある。このことは、特に、デバイス２２６がユーザによって曲げられたときに当てはまる。本発明の幾つかの実施形態では、フォールト・トレラント（fault tolerant）手法は、代替又は冗長トレースを利用することを含む。例えば、センサ５０２とプロセッサ５０４の間に４本のトレースが必要な場合、装置の間に５本、６本又は７本のトレースが形成されることがある。プロセッサ５０４は、トレースが破損したことを決定し、センサ５０２に指示して破損トレースの代わりに代替トレースのうちの１つを使用するように構成されてもよい。幾つかの実施形態では、プロセッサ５０４は、トレースが故障又は動作不能になったことを判定するように構成されてもよく、またセンサ５０２に指示して故障又は動作不能のトレースの代わりに代替トレースのうちの１つを使用するように構成されてもよい。センサ５０２は、破損しかつ／又は動作不能のトレースを識別し、代替トレースを使用するように構成されてもよい。同様に、プロセッサ５０４は、トレースが、プロセッサ５０４とフラッシュメモリ５１４の間で破損したことを決定し、代替トレースを使用し始めてもよい。
【００３３】
代替実施形態では、図５に示された構成要素は、１つ以上のトレースが破損したときにトレースを共有するように構成されてもよい。例えば、図５では、センサ５０２とプロセッサ５０４は、最初に、トレース５０６、５０８及び５１０を使用する。例えば、トレース５０８が破損した（又は、動作不能になった）場合、センサ５０２とプロセッサ５０４は、破損を識別し、トレース５１０などの別のトレースでデータを共有するように構成されてもよい。センサ５０２からのセンサデータは、様々な時間期間にプロセッサ５０４に送られてもよい。例えば、最初にトレース５１０で送られるように意図されたデータが第１の時間期間に送られてもよく、最初に破損トレース（例えば、トレース５０８）で送られるように意図されたデータが第２の時間期間に送られてもよい。幾つかの実施形態は、利用可能な帯域幅を、最初にトレースに沿って送られるように意図されたデータと最初に破損トレースに沿って送られるように意図されたデータとで分割する統計的多重化及び／又は他の方式などの代替分割方式を使用してもよい。
【００３４】
１つ以上のトレース５１６、５１８及び５２０の故障は、フラッシュメモリ５１４を実質的に動作不能にすることがある。当然ながら、フラッシュメモリ５１４は、トレースと無関係な理由で動作不能になることがある。一実施形態では、フラッシュメモリ５１４が、動作不能になるか切断されたとき、プロセッサ５０４は、データをフラッシュメモリ５１４の代わりにＲＡＭ５１２に記憶することがある。
【００３５】
ＲＡＭ５１２がフラッシュメモリ５１４より小さい記憶容量を有する実施形態では、少ない量のデータが記憶されることがある。幾つかの実施形態では、デバイスは、ＲＡＭの残りの記憶容量を決定するように構成されることがある。
【００３６】
これらの実施形態のうちの１つにおいて、ＲＡＭの残存記憶容量は、メモリ監視ユニットによって直接測定されてもよく、メモリ監視ユニットによって使用されることがあるそのような監視技術は、当該技術分野では周知であり、これ以上詳しく説明しない。したがって、ＲＡＭが「低容量」状態かどうかの判定は、測定された残存容量が特定のしきい値より低いかどうかを評価することによって行われてもよい。「低容量」判定が行われる方法に関係なく、所望の動作目的を達成するために、ＲＡＭの全記憶容量を、装置が標準「動作モード」である第１の期間と、装置が「低容量モード」であるその後の第２の期間とに割り振るしきい値レベルが設定されてもよい。
【００３７】
前述の「低容量」状態に達したかどうかを判定する他に、ＲＡＭの記憶容量は、更に、ＲＡＭがまもなく「低容量」状態になることを判定するために監視されてもよい。これは、例えば、「低容量」状態を監視するために使用される同じ技術を採用するが、僅かに高いか低いしきい値を使用することによって達成されうる。そのように判定されたとき、ＲＡＭ内の利用可能メモリが低下中であり、装置をネットワークに同期させる必要があることを装置に通知する信号や他の指示が送られてもよい。そのような信号の結果としてユーザにメッセージや他の指示が提供されてもよい。例えば、ＲＡＭが「低容量」状態に近づいていることを示す信号に応じて、メモリが「低下中」であることをユーザに知らせるメッセージが表示されてもよく、それに対して、既に「低容量」状態になったことを示す信号に応じて、メッセージは、装置が「メモリなし」であることをユーザに知らせてもよい。
【００３８】
幾つかの実施形態では、デバイスの「低容量」状態を検出したとき、ＲＡＭに記憶されるデータの量を実質的に減らすために、デバイスの動作モードが変更されてもよい。その場合、デバイスは、限られた組の機能だけを行なうことが許可されてもよく、減少した機能にもかかわらず何らかの活動データを長期間記憶し続けてもよい。特定の実施形態では、デバイスは、その「低容量」動作モードの間に実行する唯一の機能が、「低容量」状態を当該デバイスのユーザに通知する指示（又は、信号）の伝送であるように構成されてもよい。幾つかの実施形態では、更に、ＲＡＭがまもなく「低容量」状態になることを判定するためにＲＡＭの容量が監視されてもよく、これにより、ＲＡＭが「低下中でまもなく同期を必要とする」という警告をユーザに出すか、何らかの類似のメッセージ又は指示を提供してもよい。実際に「低容量」状態に達する前にユーザが装置を同期できない場合、デバイスは、単にデータの記録を停止するだけでなく、そのデータ記録機能を実質的に低下させるように動作モードを変化させ、ＲＡＭの「低能力」状態をユーザに通知し続ける。
【００３９】
例えば、幾つかの実施形態では、ＲＡＭ内の利用可能メモリが、デバイスが「低容量」状態に近づきつつあることを示す第１のしきい値レベルより低下したと判定されたとき、デバイスは第１の低容量動作モードにされて、当該デバイスがＲＡＭに記憶されるデータの量を減少させるように構成されてもよい。更に、デバイスは、ＲＡＭ内で利用可能なメモリが、第２のしきい値レベルより低下したかどうかを判定するように構成されてもよく、第１のしきい値レベルに対応するＲＡＭ上の利用可能なメモリの量は、第２のしきい値レベルに対応するＲＡＭ上の利用可能なメモリの量より大きい。ＲＡＭの記憶容量が、デバイスが「低容量」状態に近づきつつあることを示す第２のしきい値レベルより低下したと判定されたとき、デバイスは第２の低容量動作モードにされて、当該デバイスがＲＡＭ上に記憶されるデータの量を更に減少させるように構成されてもよい。
【００４０】
記憶されるデータの量を減少させる１つであるが唯一でない方法は、検出データを記憶する形式を変更することである。例えば、幾つかの実施形態では、データの忠実度又はデータポイントを得る頻度が低下されることがある。センサデータがＲＡＭに記憶される実施形態のうちの１つにおいて、第１の低容量動作モードのとき、デバイスは、１分セグメントを使用する代わりに３０分セグメントにデータを記憶することによって、ＲＡＭに記憶されるデータの量を減らすように構成されてもよい（データをフラッシュメモリに記憶するとき、又はデータを標準動作モードでＲＡＭに記憶するときと同じように）。このようにして、通常は６０個のデータエントリを必要とするものが、２個のエントリに減少することがある。センサデータがＲＡＭに記憶され、デバイスが第２の低容量動作モードのときの別の実施形態では、デバイスは、３０分セグメントを使用する代わりに１時間セグメントにデータを記憶することによってＲＡＭに記憶されるデータの量を減らすように構成されてもよい（第１の低容量動作モードのときと同じように）。このようにして、通常は２個のデータエントリを必要とするものが、１個のエントリに減少することがある。
【００４１】
検出データが記憶される形式を変更することの１つの問題は、デバイス２２６と対話する他の装置又はプログラムが、元の形式しか認識できない可能性があることである。この問題に対処するために、デバイスは、他のコンピュータ及びプログラムと通信するときにデータを元の形式に戻すことができるプログラムを含むように構成されてもよい。例えば、データが、通常は分セグメントで記憶されるが、ＲＡＭに収まりやすいように時間セグメントで記憶された場合、プログラムは、時間データを６０で割ることによってデータを分セグメントに戻すことができる。これは、データを戻す１つの方法に過ぎず、他のより複雑なプログラムが、より現実的な変換を行うために、予定ワークアウトや履歴データなどの他の因子を考慮してもよい。別の可能性は、データを圧縮形式でＲＡＭに記憶し、次にそのデータがネットワーク及び／又はコンピュータに伝送されたときに解凍することである。
【００４２】
別の実施形態では、デバイスにネットワーク１３２などのネットワークと同期することをより頻繁に要求することによって、ＲＡＭに記憶されるセンサデータ（又は、他のデータ）の量を減少させてもよい。ディスプレイ（例えば、ディスプレイ１３６又はディスプレイ２３４）は、センサデータを記憶するためにＲＡＭ内で利用できるメモリの量を示すように構成されてもよい。ディスプレイは、更に、ＲＡＭが低容量状態に達したことをユーザに示し、デバイスがネットワークと同期されるべきであるというメッセージをユーザに送信するように構成されてもよい。例えば、デバイスが第１又は第２の低容量動作モードになるとき、デバイスは、当該デバイスが低容量状態に近づいており、デバイスの１つ以上の機能が低下又は一時停止されたというメッセージをユーザに（ディスプレイを介して）伝えてもよい。
【００４３】
ＲＡＭに記憶されるデータの量を減らす他の可能な方法は、デバイスが特定タイプのデータだけを記録することを要求することでもよい。例えば、デバイスは、活動データだけを記録し、時刻などの他のタイプのデータを記録しないことによって、ＲＡＭに記憶されるデータの量を減らすように構成されてもよい。
【００４４】
一実施形態では、前述のように、デバイスは、ＲＡＭが低容量状態に近づいていることを示す第１のしきい値容量にＲＡＭが達したときに、第１の低容量動作モードになってもよい。上記の例に加えて、デバイスが第１の低容量動作モードになったとき、デバイスは、活動データだけを記録し、他のタイプのデータを記録しないことによって、ＲＡＭに記憶されるデータの量を減らすように構成されてもよい。他の実施形態では、デバイスが第２の低容量動作モードになったとき、デバイスは、更に、活動データの忠実度を低下させることによってＲＡＭに記憶されるデータの量を減らすように構成されてもよい。別の実施形態では、第２の低容量動作モードのとき、デバイスは、更に、活動データを記録する他に１つ以上の他のデータ記録機能を低下又は一時停止することによって、ＲＡＭに記憶されるデータの量を減らすように構成されてもよい。  
【００４５】
本発明の幾つかの実施形態では、データがＲＡＭ５１２又はフラッシュメモリ５１４に記憶されたという指示はエンドユーザにされない。デバイスは、データをユーザに提示し、更に他の装置がそのデータを表示する。
【００４６】
結論
本明細書で述べた特徴の１つ又は複数を有する活動環境を提供することにより、アスレチック活動と関わりそのフィットネスを改善するようにユーザを激励し動機付ける経験がユーザに提供されうる。ユーザは、更に、ソーシャルコミュニティを介して通信し、互い競争してポイントチャレンジに参加してもよい。
【００４７】
実施形態の態様をその実例となる実施形態の点から述べた。この開示の検討から、当業者には、添付の特許請求の範囲の意図と趣旨の範囲内にある多数の他の実施形態、修正及び変形が明らかであろう。例えば、当業者は、説明的な図に示されたステップが、詳述された順序以外の順序で実行されてもよく、示された１つ又は複数のステップが、実施形態の態様によれば任意選択でよいことを理解されよう。
【符号の説明】
【００４８】
１０２  コンピュータ
１１０  ＲＡＭ
１２４  ユーザ
１２６  カメラ
１２８  センサ
１３２  ネットワーク
１３４  サーバ
１３６  ディスプレイ
１３８，１４０  装置
１４２  センサ
１４４ａ，ｂ  装着型センサ
２２６  手首装着型センサ・アセンブリ・デバイス
【図１】
0006263613.tif 000002
【図２】
0006263613.tif 000003
【図３】
0006263613.tif 000004
【図４】
0006263613.tif 000005
【図５】
0006263613.tif 000006